(57)【特許請求の範囲】
【請求項１】
婦人衛生に有用なパッケージされたタンポンであって、
（ａ）有孔ポリマーフィルムカバーで実質的に覆われている、細長い吸収構造を有する圧縮されたタンポン本体と、
（ｂ）前記有孔ポリマーフィルムカバーに接触し、前記タンポン本体を圧縮した状態で受容するポリマーフィルムを含む包装パッケージと、
を含み、
前記包装パッケージの前記ポリマーフィルムは、少なくとも１つのエンボス加工表面を有し、その少なくとも１つのエンボス加工表面が、前記タンポン本体の前記有孔ポリマーフィルムカバーと接触している、および／または、
前記包装パッケージの前記ポリマーフィルムは、少なくとも１つのコロナ処理表面を有し、その少なくとも１つのコロナ処理表面が、前記タンポン本体の前記有孔ポリマーフィルムカバーと接触している、および／または、
前記タンポン本体のカバーを形成している前記有孔ポリマーフィルムは、前記包装パッケージの前記ポリマーフィルムに接触している表面上が、エンボス加工されているか、またはコロナ処理されており、
これにより、少なくとも１週間４０℃／湿度７５％の条件にした後、前記包装パッケージと前記タンポン本体との間に約５Ｎ未満の剪断力を加えることによって前記タンポン本体の長さの少なくとも一部に沿って前記包装パッケージをスライドさせることにより、前記包装パッケージを前記圧縮されたタンポン本体から取り外すことができる、パッケージされたタンポン。
【請求項２】
少なくとも１週間４０℃／湿度７５％の条件にした後、前記包装パッケージと前記タンポン本体との間に約３Ｎ未満の剪断力を加えることによって前記タンポン本体の長さの少なくとも一部に沿って前記包装パッケージをスライドさせることにより、前記包装パッケージを前記圧縮されたタンポン本体から取り外すことができる、請求項１に記載のパッケージされたタンポン。
【請求項３】
前記エンボス加工された表面は、マイクロエンボス加工されている、請求項１または２に記載のパッケージされたタンポン。
【請求項４】
前記表面上にエンボス加工されるパターンは、約１００μｍ未満の高さを有する規則的なピラミッドのアレイの形態をとる、請求項１〜３のいずれかに記載のパッケージされたタンポン。
【請求項５】
前記パターンは、第１の溝の群と、前記第１の溝の群に対して角度をなす第２の溝の群とを定める、請求項４に記載のパッケージされたタンポン。
【請求項６】
さらにスリップ剤が前記有孔ポリマーフィルムカバー及び前記包装パッケージの少なくとも一方に設けられている、請求項１〜５のいずれかに記載のパッケージされたタンポン。
【請求項７】
少なくとも１週間４０℃／湿度７５％の条件にした後、前記包装パッケージと前記タンポン本体との間に約２Ｎ未満の剪断力を加えることによって前記タンポン本体の長さの少なくとも一部に沿って前記包装パッケージをスライドさせることにより、前記包装パッケージを前記タンポン本体から取り外すことができる、請求項１〜６のいずれかに記載のパッケージされたタンポン。
【請求項８】
パッケージされた圧縮された衛生製品であって、
（ａ）ポリマーフィルムカバーを有する圧縮された製品本体と、
（ｂ）前記ポリマーフィルムカバーに接触し、前記圧縮された製品本体を圧縮された状態で受容する包装パッケージと、
を含み、
前記包装パッケージは、少なくとも１つのエンボス加工表面を有し、その少なくとも１つのエンボス加工表面が、前記圧縮された製品本体の前記ポリマーフィルムカバーと接触している、および／または、
前記包装パッケージは、少なくとも１つのコロナ処理表面を有し、その少なくとも１つのコロナ処理表面が、前記圧縮された製品本体の前記ポリマーフィルムカバーと接触している、および／または、
前記製品本体のカバーを形成している前記ポリマーフィルムは、前記包装パッケージに接触している表面上が、エンボス加工されているか、またはコロナ処理されており、
これにより、少なくとも１週間４０℃／湿度７５％の条件にした後、前記包装パッケージと前記圧縮された製品本体との間に約３Ｎ未満の剪断力を加えることによって前記圧縮された製品本体の長さの少なくとも一部に沿って前記包装パッケージをスライドさせることにより、前記包装パッケージを前記圧縮された製品本体から取り外すことができる、パッケージされた圧縮された衛生製品。
【請求項９】
前記エンボス加工された表面は、マイクロエンボス加工されている、請求項８に記載のパッケージされた圧縮された衛生製品。
【請求項１０】
さらにスリップ剤が前記ポリマーフィルムカバー及び前記包装パッケージの少なくとも一方に設けられている、請求項８または９に記載のパッケージされた圧縮された衛生製品。
【発明の詳細な説明】
【発明の詳細な説明】
【０００１】
本発明は、有孔フィルムで覆われパッケージングされたタンポンに関する。詳細には、本発明は、包装パッケージからのタンポンの容易な取出しが維持されるように２つの要素間の摩擦特性が許容範囲である有孔フィルムで覆われたタンポンと包装パッケージとの組合せについてである。
【０００２】
米国特許第４，８１６，１００号に、被覆された螺旋状に曲がったタンポンが開示されている。このタンポンは、不織布ウエブ部分の外側にヒートシールで接着された液体透過性の熱可塑性ストリップ部分を有する。不織布ウエブ部分の端部を超えて延出したストリップ部分の外側端部が、ストリップ部分の不織布ウエブ部分にシールされた部分の外側に接着されている。タンポンの挿入端部及び取出し端部は両方とも被覆材料で覆われていない。
【０００３】
近年、国際特許出願第ＷＯ ０１／０２１４４号（名称：「連続ウエブから個々のシートを得るための連続法（Continuous Method of Providing Individual Sheets from a Continuous Web）」）に開示されているように不織布タンポンカバーの代わりとして有孔ポリマーフィルムカバーが注目されている。しかしながら、市販に際して、包装パッケージの取外しが、ヴァルンケ（Warncke）による米国特許第４，５８３，９６３号に開示されているような従来のパッケージを用いると非常に困難であることが分かった。
【０００４】
従って、使用者がタンポンを容易に取り出すことができるタンポン包装パッケージが要望されている。小さな剪断力で包装パッケージからタンポンを取り出すことができる有孔ポリマーフィルムで覆われたタンポン／包装パッケージ・システムが要望されている。
【０００５】
発明の要約
包装の除去に必要な力を、包装を処理する、タンポンカバーを処理する、及び包装とタンポンカバーとの間にスリップ剤を適用するなどして小さくできることを見出した。これにより、４０℃／湿度７５％で少なくとも１週間調整した後、タンポンからタンポンのパッケージを除去するために必要な剪断力を約５Ｎ未満まで小さくすることができる。
【０００６】
本発明の一態様では、包装パッケージフィルムを、例えば、高さが約１００μｍ未満の規則的なピラミッドのアレイの形態にエンボス加工する。
【０００７】
本発明の別の態様では、蒸着及びスパッタリングを含む技術により包装パッケージフィルムまたは有孔フィルムタンポンカバーの何れかに固体コーディングを適用することができる。
【０００８】
本発明のさらに別の態様及び特徴は、当業者であれば、添付の図面を参照しながら本発明の特定の実施形態の以下の説明を読めば明らかになるであろう。
【０００９】
好適な実施形態の詳細な説明
吸収性タンポンは通常、圧縮された吸収材料の実質的に柱状の塊体などの細長い圧縮された吸収構造を含む。この圧縮された吸収構造は、タンポンの外周面を画定する半径及び中心軸を有する。タンポンは、まずタンポンブランクと呼ばれる吸収材料の成形塊体を入手してから形成する場合が多い。このブランクは、ロール状のシート材料、連続吸収材料の一部分、ランダムまたは実質的に均一に向いた吸収材料の塊体、及び個々に形成したまたは鋳造による吸収材料の塊体の形態にすることができる。
【００１０】
タンポンブランクは、あまり圧縮されていないため比較的密度が低い。タンポンブランクを圧縮して、圧縮する前のタンポンブランクよりも全体の寸法が小さい製品を形成する。圧縮されたタンポンは、タンポン全体で概ね均一の密度を有しても良いし、または言及することを以ってその開示内容の全てを本明細書の一部とする本発明の譲渡人に譲渡されたフリース（Friese）による米国特許第６，３１０，２９６号及びルートワイラー（Leutwyler）による同第５，９１１，７１２号に開示されているように密度の異なる領域を有しても良い。また、タンポンは通常、カバーまたは他の表面処理、及び取出し紐または他の取出し機構を含む。
【００１１】
本発明に従った婦人衛生に有用なパッケージされたタンポンの例が図１に例示されている。このタンポン１０は、有孔ポリマーフィルムカバー１４によって実質的に覆われた圧縮された細長い吸収構造１２を有する。圧縮されたタンポン１０は、包装パッケージ１６内にパッケージされている。この包装パッケージ１６は、有孔ポリマーフィルムカバー１４に接触し圧縮された状態のタンポン１０を受容するポリマーフィルムを含む。包装パッケージ１６は、そのパッケージ１６とタンポン１０との間に約５Ｎ未満の剪断力を加えてタンポン１０の少なくとも一部の長さに沿ってパッケージ１６をスライドさせて圧縮されたタンポン１０から取り外すことができる。
【００１２】
吸収本体の形成に有用な吸収材料として、ファイバー、フォーム、超吸収材料、及びヒドロゲルなどを挙げることができる。本発明に好適な吸収材料には、フォーム及びファイバーが含まれる。吸収フォームの例として、親水性フォーム、すなわち水溶液によって容易に湿潤するフォーム、及びフォームを形成する気泡壁自体が液体を吸収するフォームを挙げることができる。
【００１３】
吸収本体の形成に用いられるファイバーには、再生セルロースフィバー、天然ファイバー、及び合成ファイバーが含まれるのが好ましい。本発明に従ったタンポンの形成に用いられる材料には、ファイバー、フォーム、ヒドロゲル、木材パルプ、及び超吸収材料などが含まれる。有用な吸収本体ファイバーの例として、限定するものではないが、綿、木材パルプ、及びジュートなどの天然ファイバーや、再生セルロース、セルロースナイトレート、アセチルセルロース、レーヨン、ポリエステル、ポリビニルアルコール、ポリオレフィン、ポリアミン、ポリアミド、及びポリアクリルニトリルなどの合成ファイバーを挙げることができる。上記したファイバーに加えて他のファイバーも、吸収本体に所望の特性を付与するために含めることができる。タンポンファイバーは、好ましくはレーヨンまたは綿であり、より好ましくはレーヨンである。ファイバーは、あらゆる有用な断面を有することができる。
【００１４】
ファイバーの断面は、多リム型（multi-limbed）及び非リム型（non-limbed）を含む。多リム再生セルロースファイバーは、何年も前から市販されている。このようなファイバーは、非リム型ファイバーよりも高い特定の吸収性を有することが知られている。市販されているこのようなファイバーの例として、英国のスポンドン（Spondon）に所在のアコーディスＵＫ社（Acordis UK Ltd.）が販売するＤａｎｕｆｉｌ（登録商標）ＶＹ多リムビスコースレーヨンを挙げることができる。このようなファイバーの詳細は、言及することを以ってその開示内容の全てを本明細書の一部とするウィルクス（Wilkes）らによる米国特許第５，４５８，８３５号に開示されている。好ましくは、このようなファイバーは親水性ファイバーを含み、より好ましくは、このようなファイバーは吸収性ファイバーすなわち個々のファイバー自体が液体を吸収するファイバーを含む。有用なタンポン用ファイバーの例として、限定するものではないが、綿、木材パルプ、ジュート、及び大麻などの天然ファイバーや、再生セルロース、セルロースナイトレート、アセチルセルロース、レーヨン、ポリエステル、ポリビニルアルコール、ポリオレフィン、ポリアミン、ポリアミド、及びポリアクリルニトリルなどの合成ファイバーを挙げることができる。上記したファイバーに加えて他のファイバーも、吸収本体に所望の特性を付与するために含めることもできる。例えば、表面の湿気を抑えるために疎水性ファイバーをタンポンの外面に用いることができ、吸収本体内に吸収され全体に行き渡る速度を上げるために親水性ファイバーを用いることができる。タンポンファイバーは、好ましくはレーヨンまたは綿であり、より好ましくはレーヨンである。ファイバーは、あらゆる有用な断面を有することができる。
【００１５】
タンポンブランクは、液体透過性の有孔ポリマーフィルムカバー１４によって実質的に取り囲まれ覆われている。従って、カバー１４が、タンポン１０の外面の大部分を覆っている。これは、言及することを以ってその開示内容の全てを本明細書の一部とする米国特許第４，８１６，１００号、または２０００年６月２９日出願のロクティ（Lochte）らによる米国特許出願第０９／６０７０３２号（名称：「ファイバー吸収構造に熱接着された有孔フィルムカバーを有するタンポン（Tampon Having Apertured Film Cover Thermobonded to Fibrous Absorbent Structure）」、代理人整理番号Ｊ＆Ｊ‐１９２５）に開示されているように達成することができる。加えて、タンポンの挿入端部１８、反対側の取出し端部２０、またはこれらの両方をカバーで覆うこともできる。もちろん、タンポン１０の一部の表面は、処理のためまたは他の理由からカバー１４で覆わないようにすることもできる。例えば、タンポン１０の挿入端部１８及び円柱表面のこの端部に近接した部分を、カバー１４で覆わないで露出させ、タンポン１０が容易に液体を吸収可能にすることができる。
【００１６】
有孔ポリマーフィルムカバー１４は、体腔内へのタンポン１０の挿入を容易にし、かつファイバーがタンポン１０から分離しにくくすることができる。カバーの形成に有用な有孔ポリマーフィルムは当業者には周知である。
【００１７】
適度な機械的な圧縮の後に圧力を解放すると、タンポンは元の寸法に戻ろうとする。従って、タンポンブランクは、使用に適した密度に僅かに戻ることができるように通常は過剰に圧縮する。過剰な圧縮は、膨張を機械的に制限し、液体を吸収しないでタンポンが膨張するのを防止する。
【００１８】
タンポンは、通常はアプリケータタンポンと指使用型タンポンの２つのタイプに分類される。ある程度の寸法安定性が、それぞれのタイプのタンポンに有用である。アプリケータタンポンは、使用の前にタンポンを受容して保護するために比較的硬質の装置を使用する。タンポンを体腔内に挿入するために、アプリケータを体腔内に部分的に挿入し、タンポンをアプリケータから排出することができる。これに対して、指使用型タンポンは、体腔内への挿入を助けるアプリケータを有していないため、アプリケータを用いずに挿入できる十分な円柱強度が必要である。この強度は、米国マサチューセッツ州カントン（Canton）のインストロン社（Instron Corporation）のインストロン・ユニバーサル試験機（Instron Universal Testing Machine）の固定プレートにタンポンの一端を固定して測定することができる。可動プレートをタンポンの反対側の端部に接触させてから、約５ｃｍ／分の速度でタンポンを圧縮するように設定する。タンポンに加えられる力を連続的に測定する。加える力が増大する代わりに減少し始める点が、タンポンが座屈する点である。この時の最大の力がタンポンの安定性である。
【００１９】
上記したように、タンポン１０を過剰に圧縮することにより、タンポン１０は使用に適した所望の密度に僅かに戻ることができる。この戻りの一部が、タンポンが包装パッケージ内に導入された後で起こる。パッケージされたタンポンの戻りにより、タンポンと包装パッケージとの間に圧力が生じる。市販の包装パッケージは通常、製品の中心付近に開封ストリップを備え、パッケージの１または複数の部分を端部からずらして取り外すことができる。タンポンの戻りによる圧力が、この取外しを困難にし得る。
【００２０】
ここでも同様に、包装パッケージ１６は、剪断力を加えてタンポン１０の長さの一部に沿ってスライドさせて圧縮されたタンポン１０から除去することができる。一般的なセロハンまたはポリプロピレンフィルムから形成された従来の包装パッケージでは、タンポンと包装パッケージを互いに対して容易にスライドさせることができないことが分かった。従って、タンポンをパッケージから取り出すのが困難であり、使用者のフラストレーションがたまる。従って、保管温度４０℃、湿度７５％の環境で少なくとも１週間調整した後、タンポンをそのパッケージから取り出すのに必要な剪断力を、約５Ｎ未満、好ましくは約３Ｎ未満、最も好ましくは約２Ｎ未満に減少させる必要があることが分かった。タンポンは、製造直後に調整することもできるし、保管後、例えば販売店で購入した後に調整することもできる。
【００２１】
包装の除去に必要な力は、包装の処理、タンポンカバーの処理、及び包装とタンポンカバーとの間へのスリップ剤の適用などによって軽減することができる。包装またはタンポンカバーの何れか一方を処理して、表面のきめを粗くして、包装とタンポンカバーとの間の接触面積を減少させることができる。例えば、包装及び／またはタンポンカバーを形成するフィルムは、エンボス加工（マイクロエンボス加工を含む）、電気的な改変（コロナ放電処理を含む）、及びコーティング（蒸着及びスパッタリングを含む）などの処理を行うことができる。
【００２２】
従来のエンボス加工技術を用いて、フィルム上にエンボス加工を施すことができる。包装パッケージフィルム上にエンボス加工されるパターンは、高さが約１００μｍ未満、よし好ましくは約５０μｍ未満、最も好ましくは約２５μｍ未満の規則的なピラミッドのアレイの形態にすることができる。このようなピラミッドは、エンボスローラの表面に平行な２つの群のＶ型溝を設けて形成することができる。第１の群の溝は、第２の群の溝に対して傾斜している。好ましくは、これらの第１の群の溝と第２の群の溝との間の角度は約９０度であるが、所望のフィルム特性によって他の角度にすることもできる。溝と溝の間隔は、１ｃｍ当たりの溝の数によって求めることができる。１ｃｍ当たりの溝の数は、好ましくは約２０〜約１００の範囲、より好ましくは約４０〜約８０の範囲、最も好ましくは約５５〜６５の範囲である。
【００２３】
一方のフィルム、例えば包装パッケージフィルムに、蒸着及びスパッタリングを含む技術を用いて固体コーティングを施すことができる。これに加えて、流体潤滑剤などのスリップ剤または摩擦係数の低い固体層を、製造工程の任意の好適な部分でタンポンカバーまたは包装パッケージの何れかに適用することができる。
【００２４】
前記記載はタンポンカバーフィルムまたは包装パッケージフィルムの処理についてであるが、タンポンカバーフィルムは３次元の有孔フィルム構造を形成するための処理でより歪むため、包装パッケージフィルムの処理を維持する方が容易である。
【００２５】
包装パッケージは、言及することを以ってその開示内容の全てを本明細書の一部とする米国特許第４，５８３，９６４号、及び１９９８年１２月３日出願のルイス（Lewis）らによる米国特許出願第０９／２０４６９６号（名称：「婦人衛生または医療用のタンポン並びにその製造方法（Tampon for Feminine Hygiene or Medical Purposes, and Process for Producing the Same）」、代理人整理番号：Ｊ＆Ｊ１６９３）に開示されているような従来の方法で形成することができる。
【００２６】
例
本発明は、本発明の装置の構成、形態、及び製造方法を例示する後述する特定の例からよりよく理解できるであろう。本装置の構成、形態、及び製造方法の様々な変更形態が当業者には明らかであることを理解されたい。後述する例は、単なる例示目的であり、特段の記載がない限り、割合及びパーセントは重量に基づいたものである。
【００２７】
１．目的
タンポンの紐の端部からポリプロピレン包装を除去するために必要な力を決定すること。
２．方法の原理
タンポンの紐の端部におけるポリプロピレン包装は、牽引力でタンポンから除去することができる。包装を除去するために加えた力を測定する。
３．分析時間
それぞれの測定（２０タンポン）は約３０分である。
４．装置
・インストロン試験機５５４３（Instron machine 5543）（コンピュータ制御の空気式クランプ（幅：５０ｍｍ）、ロードセル：５０Ｎ）
・ウィンドウズ（登録商標）９５／９８（マイクロソフト）
・インストロン試験機を作動させ、その結果を表示させるためのＭｅｒｌｉｎソフトウエア（Instron）
・プリンタ
５．準備
５．１．開封ストリップ及び挿入端部を覆う包装パッケージをタンポンから除去する。
５．２．粘着テープ（ブランド：Ｔｅｓａ）を、タンポンの長手方向延長部を形成するように紐の端部にポリプロピレン包装を巻き付ける。
６．測定
６．１．タンポンを試験機内に挿入する。タンポンの挿入端部を下側クランプ内に垂直方向に固定する。粘着ストリップを上側クランプ間に固定する。
６．２．試験機をクロスヘッド速度が１００ｍｍ／分の動作モードに設定して測定を開始する。１０ｍｍの伸長で試験を停止する。かかった最大の剪断力をニュートン（Ｎ）で記録する。
７．付録
７．１．測定精度
速度の精度：        設定速度の±０．１％
伸長の精度：        ±０．０２ｍｍ超すなわち０．０５％超
荷重の精度（セル能力の０．４％〜１．０％すなわち０．２Ｎ〜０．５Ｎの範囲の測定値に対して）：        測定値の±１．０％（＜０．００５Ｎ）
荷重の精度（セル能力の１．０％〜１０％すなわち０．５Ｎ〜５．０Ｎの範囲の測定値に対して）：        測定値の±０．５％（＜０．０２５Ｎ）
荷重の精度（セル能力の１０．０％〜１００．０％すなわち５．０Ｎ〜５０．０Ｎの範囲の測定値に対して）：    測定値の±０．４％（＜０．２Ｎ）
【００２８】
これらの試験から得たデータが、表１‐４及び図１Ａ‐図４のグラフに示されている。これらのデータは、有用な包装パッケージにパッケージされたタンポンの包装の除去に必要な力が許容範囲であることを例示している。
【表１】
0004531747.tif 000002
【表２】
0004531747.tif 000003
【表３】
0004531747.tif 000004
【表４】
0004531747.tif 000005
【００２９】
上記した明細及び実施形態は、ここに開示する本発明を限定することが目的ではなく完全な理解を助けるためのものである。本発明の範囲及び概念を逸脱することなく実施形態の様々な変更形態が可能であるため、本発明は添付の特許請求の範囲によってのみ規定されるものである。
〔実施の態様〕
（１）婦人衛生に有用なパッケージされたタンポンであって、
（ａ）細長い吸収構造を有する圧縮されたタンポンと、
（ｂ）前記吸収構造を実質的に覆っている有孔ポリマーフィルムカバーと、
（ｃ）前記有孔ポリマーフィルムカバーに接触し、前記タンポンを圧縮した状態で受容するポリマーフィルムを含む包装パッケージと、を含み、
４０℃／湿度７５％で少なくとも１週間調整した後、前記パッケージと前記タンポンとの間に約５Ｎ未満の剪断力を加えて前記タンポンの長さの少なくとも一部に沿って前記包装パッケージをスライドさせて、前記包装パッケージを前記圧縮されたタンポンから取り外すことができる、婦人衛生に有用なパッケージされたタンポン。
（２）４０℃／湿度７５％で少なくとも１週間調整した後、前記パッケージと前記タンポンとの間に約３Ｎ未満の剪断力を加えて前記タンポンの長さの少なくとも一部に沿って前記包装パッケージをスライドさせて、前記包装パッケージを前記圧縮されたタンポンから取り外すことができる、実施態様（１）に記載のパッケージされたタンポン。
（３）前記包装パッケージの前記ポリマーフィルムが少なくとも１つのエンボス加工表面を有し、その少なくとも１つのエンボス加工表面が前記タンポンの前記有孔ポリマーフィルムカバーと接触する、実施態様（１）に記載のパッケージされたタンポン。
（４）前記少なくとも１つのエンボス加工表面がマイクロエンボス加工されている、実施態様（３）に記載のパッケージされたタンポン。
（５）前記包装パッケージの前記ポリマーフィルムが少なくとも１つのコロナ処理表面を有し、前記少なくとも１つのコロナ処理表面が前記タンポンの前記有孔ポリマーフィルムカバーと接触する、実施態様（１）に記載のパッケージされたタンポン。
（６）さらにスリップ剤が前記有孔ポリマーフィルムカバー及び前記包装パッケージの少なくとも一方に設けられている、実施態様（１）に記載のパッケージされたタンポン。
（７）圧縮されパッケージされた製品であって、
（ａ）ポリマーフィルムカバーを有する圧縮された製品と、
（ｂ）前記ポリマーフィルムカバーに接触し、前記圧縮された製品を圧縮された状態で受容する包装パッケージと、を含み、
４０℃／湿度７５％で少なくとも１週間調整した後、前記パッケージと前記タンポンとの間に約３Ｎ未満の剪断力を加えて前記タンポンの長さの少なくとも一部に沿って前記包装パッケージをスライドさせて、前記包装パッケージを前記圧縮されたタンポンから取り外すことができる、圧縮されパッケージされた製品。
（８）４０℃／湿度７５％で少なくとも１週間調整した後、前記パッケージと前記タンポンとの間に約２Ｎ未満の剪断力を加えて前記タンポンの長さの少なくとも一部に沿って前記包装パッケージをスライドさせて、前記包装パッケージを前記圧縮されたタンポンから取り外すことができる、実施態様（２）に記載のパッケージされたタンポン。
（９）前記包装パッケージフィルムの少なくとも１つの表面に固体材料がコーティングされている、実施態様（１）に記載のパッケージされたタンポン。
【図面の簡単な説明】
【００３０】
【図１】本発明に従ったタンポンの部分破断斜視図である。
【図１Ａ】表１のデータを表すグラフである。
【図２】表２のデータを表すグラフである。
【図３】表３のデータを表すグラフである。
【図４】表４のデータを表すグラフである。
【図１】
0004531747.tif 000006
【図１Ａ】
0004531747.tif 000007
【図２】
0004531747.tif 000008
【図３】
0004531747.tif 000009
【図４】
0004531747.tif 000010